(57)【要約】      （修正有）【課題】ユーザー自身の美的感覚を刺激し所有欲を掻き立てると共に、周囲に対し美的感覚の高さをアピールすることができる携帯情報端末用ケースを提供する。【解決手段】携帯情報端末用ケースは、表示装置設置面の裏側に位置する携帯情報端末用ケース本体表面１２０において、装飾や手芸などに用いる穴の開いた小さな玉であるビーズを規則的に配置させた模様要素部１３０と、模様要素部を固定する透明の樹脂素材で構成される模様固定部１４０と、を備え、同一又は異なる属性のビーズで構成される模様要素部を複数組み合わせて配置することにより、種々の模様が形成されている。【選択図】図２
0003189695.tif 000002
【実用新案登録請求の範囲】
【請求項１】
携帯情報端末における表示装置設置面以外の面を覆う携帯情報端末用ケース本体を有する携帯情報端末用ケースであって、
前記表示装置設置面の裏側に位置する前記携帯情報端末用ケース本体表面において、
装飾や手芸などに用いる穴の開いた小さな玉であるビーズであって、同一属性の該ビーズを規則的に配置させた模様要素部と、
前記携帯情報端末用ケース本体表面において前記模様要素部を固定する透明の樹脂素材で構成される模様固定部と、を備え、
同一又は異なる属性の前記ビーズで構成される前記模様要素部を複数組み合わせて配置することによって、前記携帯情報端末用ケース本体表面において一の模様が形成されることを特徴とする携帯情報端末用ケース。
【請求項２】
前記ビーズが、シードビーズであることを特徴とする請求項１に記載の携帯情報端末用ケース。
【請求項３】
前記ビーズが、バンブービーズであることを特徴とする請求項１又は２に記載の携帯情報端末用ケース。
【考案の詳細な説明】
【技術分野】
【０００１】
スマートフォンなど携帯情報端末を覆う携帯情報端末用ケースの技術に関する。
【背景技術】
【０００２】
スマートフォンなど携帯情報端末を覆う携帯情報端末用ケースは、携帯情報端末を衝撃から保護したり防水の機能を果たしたりするだけではない。近年携帯情報端末用ケースは、そのデザインに基づいてユーザー自身の美的感覚を刺激するものであり、さらには、ユーザーの美的感覚を周囲にアピールするもの、つまりファッションの一部となっている。
【考案の概要】
【考案が解決しようとする課題】
【０００３】
そこで本考案では、ユーザー自身の美的感覚を刺激し所有欲を掻き立てると共に、所有することで、周囲に対しユーザーの美的感覚の高さをアピールすることができる携帯情報端末用ケースを提供することを目的とする。
【課題を解決するための手段】
【０００４】
開示する携帯情報端末用ケースの一形態は、携帯情報端末における表示装置設置面以外の面を覆う携帯情報端末用ケース本体を有する携帯情報端末用ケースであって、前記表示装置設置面の裏側に位置する前記携帯情報端末用ケース本体表面において、装飾や手芸などに用いる穴の開いた小さな玉であるビーズであって、同一属性の該ビーズを規則的に配置させた模様要素部と、前記携帯情報端末用ケース本体表面において前記模様要素部を固定する透明の樹脂素材で構成される模様固定部と、を備え、同一又は異なる属性の前記ビーズで構成される前記模様要素部を複数組み合わせて配置することによって、前記携帯情報端末用ケース本体表面において一の模様が形成されることを特徴とする。
また、開示する携帯情報端末用ケースの一形態は、上記構成に加え、前記ビーズが、シードビーズであることを特徴とする。
また、開示する携帯情報端末用ケースの一形態は、上記構成に加え、前記ビーズが、バンブービーズであることを特徴とする。
【考案の効果】
【０００５】
開示する携帯情報端末用ケースは、ユーザー自身の美的感覚を刺激し所有欲を掻き立てると共に、所有することで、周囲に対しユーザーの美的感覚の高さをアピールすることができる。
【図面の簡単な説明】
【０００６】
【図１】本実施の形態に係る携帯情報端末の一例を示す図である。
【図２】本実施の形態に係る携帯情報端末用ケース（その１）の平面方向からの写真図である。
【図３】本実施の形態に係る携帯情報端末用ケース（その１）の斜視方向からの写真図である。
【図４】本実施の形態に係る携帯情報端末用ケース（その２）の平面方向からの写真図である。
【図５】本実施の形態に係る携帯情報端末用ケース（その２）の斜視方向からの写真図である。
【図６】本実施の形態に係る携帯情報端末用ケース（その３）の平面方向からの写真図である。
【図７】本実施の形態に係る携帯情報端末用ケース（その４）の平面方向からの写真図である。
【考案を実施するための形態】
【０００７】
図面を参照しながら、本考案を実施するための形態について説明する。
（本実施の形態に係る携帯情報端末用ケースの構造）
図１乃至７を用いて、本実施の形態に係る携帯情報端末用ケース（以下、単に「ケース」という。）１００の構造について説明する。図１は、ケース１００を装着する携帯情報端末（以下、単に「端末」という。）２００の一例を示す図である。図２、４、６及び７は、ケース１００の一例を平面方向から撮影した写真図であり、図３及び５は、ケース１００の一例を斜視方向から撮影した写真図である。
【０００８】
ケース１００は、携帯情報端末用ケース本体（以下、単に「ケース本体」という。）１１０を有し、ケース本体１１０は、端末２００に装着して使用することを目的とする、端末２００の附属品（ケース・カバー類）である。また、端末２００は、所謂スマートフォンやタブレット型端末であり、各メーカーから種々の端末２００が販売されているが、ケース本体１１０が装着可能な端末２００の仕様に限定は無い。つまり、ケース本体１１０が端末２００に装着される方法は、一般的な携帯情報端末用ケースの装着方法と同じであり、ケース１００の技術的特徴は装着方式にはない。
【０００９】
ケース本体１１０は、端末２００が備える表示装置２１０の設置面以外の面を覆う形態である。図１で示すように、端末２００は、略直方体の形状を成しているため、ケース本体１１０は、表示装置２１０の設置面を除く５つの面を覆う形態である。ケース本体１１０は、表示装置２１０の見やすさを損なわせないために、表示装置２１０設置面を覆わない。
【００１０】
図２乃至７で示すように、ケース１００（ケース本体１１０）は、端末２００に装着したとき表示装置２１０の裏側に位置するケース本体１１０の表面１２０上に装飾が施される形態であり、表面１２０には、模様要素部１３０、模様固定部１４０が備えられる。
【００１１】
模様要素部１３０は、装飾や手芸などに用いる穴の開いた小さな玉であるビーズ１５０であって、同一属性のビーズ１５０を規則的に配置させた部位であり、表面１２０上に施される装飾の構成要素である。ここで、ビーズ１５０の属性とは、ビーズの形状、大きさ、色彩、素材などビーズ１５０が備える特徴を示す情報であり、また、ビーズ１５０の属性について限定は無く、ビーズ１５０は、例えばシードビーズやバンブービーズなどであっても良い。
【００１２】
図２乃至７で示すように、模様要素部１３０では、ビーズ１５０が規則的に配置されるが、「規則的に」とは、直線、曲線、四角形、三角形、円など一定のきまりに従って配置されるさまをいう。
【００１３】
模様固定部１４０は、表面１２０上に模様要素部１３０を固定するための部位であって、ビーズ１５０が透けて見えるように、例えば、エポキシ樹脂のような透明又は半透明の樹脂素材１６０で構成されることが好適である。模様固定部１４０は、模様要素部１３０を構成するビーズ１５０の周囲を樹脂素材１６０で覆うように形成される。
【００１４】
図２乃至７で示すように、ケース本体１１０の表面１２０においては、同一又は異なる属性のビーズ１５０で構成される模様要素部１３０を複数組み合わせることによって、種々の模様が形成される。図２乃至７では、模様要素部１３０の配置規則及び組み合わせを変えることによって形成された４種類の模様が示されているが、表面１２０に形成される模様はここに示す４つの模様に限定されることはなく、模様のバリエーションは無限に存在する。
【００１５】
上記のような構成を備えることにより、ケース１００は、ユーザー自身の美的感覚を刺激し所有欲を掻き立てると共に、所有することで、周囲に対しユーザーの美的感覚の高さをアピールすることができる。
（本実施の形態に係る携帯情報端末用ケースの使用方法）
【００１６】
以下、本実施の形態に係るケース１００の使用方法について説明する。ケース１００（ケース本体１１０）は、一般的な携帯情報端末用ケースと同様に、装着する端末２００の形状に合致し、ケースとしての用を成す形状をしている。そのため、ユーザーは、端末２００をケース１００（ケース本体１１０）の所定の部位（例えば、窪んでいる部位）に嵌め込むことによって、その位置で端末２００はケース１００に嵌着される。以後、ユーザーは、ケース１００を装着したままの状態で、端末２００を通常の使用方法に従って使用すれば良い。
【００１７】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１８】
１００  携帯情報端末用ケース
１１０  携帯情報端末用ケース本体
１２０  携帯情報端末用ケース本体の表面
１３０  模様要素部
１４０  模様固定部
１５０  ビーズ
１６０  樹脂素材
２００  携帯情報端末
２１０  携帯情報端末が備える表示装置
【図１】
0003189695.tif 000003
【図２】
0003189695.tif 000004
【図３】
0003189695.tif 000005
【図４】
0003189695.tif 000006
【図５】
0003189695.tif 000007
【図６】
0003189695.tif 000008
【図７】
0003189695.tif 000009